(57)【要約】【課題】仕事の依頼者が、信頼できる者に仕事を依頼することができるシステム等を提供する。【解決手段】仕事を依頼する依頼者から、依頼者が過去に取引を行った第一者に対する仕事の依頼を受け付ける受付手段と、第一者が、第一者とは異なる第二者に仕事を依頼することを許可する許可手段と、許可手段が許可した後に、第二者を依頼者と関連付けて記憶する記憶手段と、を備える仕事依頼支援システム。【選択図】図３
2020030487.tif 000002
【特許請求の範囲】
【請求項１】
仕事を依頼する依頼者から、当該依頼者が過去に取引を行った第一者に対する仕事の依頼を受け付ける受付手段と、
前記第一者が、当該第一者とは異なる第二者に仕事を依頼することを許可する許可手段と、
前記許可手段が許可した後に、前記第二者を前記依頼者と関連付けて記憶する記憶手段と、
を備える仕事依頼支援システム。
【請求項２】
前記許可手段は、前記第二者が、前記第一者と過去に取引を行っている場合に許可する
請求項１に記載の仕事依頼支援システム。
【請求項３】
前記許可手段は、前記第一者が前記第二者に仕事を依頼することを前記依頼者が把握した場合に許可する
請求項２に記載の仕事依頼支援システム。
【請求項４】
前記許可手段は、前記依頼者が許可した場合に、前記第一者から前記第二者への仕事の依頼を許可する
請求項１に記載の仕事依頼支援システム。
【請求項５】
前記許可手段は、前記依頼者が前記第一者と前記第二者との過去の取引を把握した上で許可した場合に、当該第二者への仕事の依頼を許可する
請求項４に記載の仕事依頼支援システム。
【請求項６】
前記記憶手段は、前記依頼者が過去に取引を行った取引者を記憶し、
前記受付手段は、前記記憶手段に記憶された前記取引者の中から選択された者への依頼を受け付ける
請求項１から５のいずれか１項に記載の仕事依頼支援システム。
【請求項７】
前記記憶手段は、前記取引者に関連付けて当該取引者の評価を記憶し、
前記受付手段は、前記依頼者に提示した、前記記憶手段に記憶された前記取引者の氏名及び評価の情報を含むリストの中から選択された者への依頼を受け付ける
請求項６に記載の仕事依頼支援システム。
【請求項８】
依頼した仕事が完了した場合に、前記第一者に対して報酬を付与する付与手段をさらに備える
請求項１から７のいずれか１項に記載の仕事依頼支援システム。
【請求項９】
前記付与手段は、前記依頼者が定めた報酬を付与する
請求項８に記載の仕事依頼支援システム。
【請求項１０】
前記付与手段は、前記第一者に付与する報酬は前記依頼者が定めた報酬であり、前記第二者に付与する報酬は当該第一者が定めた報酬である
請求項９に記載の仕事依頼支援システム。
【請求項１１】
コンピュータに、
仕事を依頼する依頼者から、当該依頼者が過去に取引を行った第一者に対する仕事の依頼を受け付ける機能と、
前記第一者が、当該第一者とは異なる第二者に仕事を依頼することを許可する機能と、
許可した後に、前記第二者を前記依頼者と関連付けて記憶する機能と、
を実行させるプログラム。
【請求項１２】
依頼した仕事が完了した場合に、前記第一者に対して報酬を付与する機能を
さらに実行させる請求項１１に記載のプログラム。
【発明の詳細な説明】
【技術分野】
【０００１】
本発明は、仕事依頼支援システム、プログラムに関する。
【背景技術】
【０００２】
近年、ソーシャルネットワーキングサービス（Social Networking Service；ＳＮＳ）が普及していることもあり、ＳＮＳを利用するシステムが提案されている。
特許文献１に記載されたシステムは、ある広告に対する第１のユーザの評価の入力を受け付ける評価入力部と、前記第１のユーザがソーシャルネットワーク上でつながりを有する第２のユーザを特定するつながり特定部と、前記第２のユーザに前記第１のユーザによる前記評価を示す評価情報を通知する評価伝搬部と、前記第１のユーザに与える報奨額を決定する報奨額決定部と、を備える。
【先行技術文献】
【特許文献】
【０００３】
【特許文献１】特開２０１４−０１３５９３号公報
【発明の概要】
【発明が解決しようとする課題】
【０００４】
仕事を依頼しようとする者は、検索エンジンを利用することで、ネットワークに公開されている者の存在を知り、仕事を依頼することができる。しかしながら、ネットワークに公開されている者が信頼できる者であるとは限らない。また、人と人とのつながりを基とするＳＮＳを利用することも考えられるが、それでもなお信頼できる者であるのかを見極めるのは困難である。
本発明は、仕事の依頼者が、信頼できる者に仕事を依頼することができるシステム等を提供することを目的とする。
【課題を解決するための手段】
【０００５】
請求項１に記載の発明は、仕事を依頼する依頼者から、当該依頼者が過去に取引を行った第一者に対する仕事の依頼を受け付ける受付手段と、前記第一者が、当該第一者とは異なる第二者に仕事を依頼することを許可する許可手段と、前記許可手段が許可した後に、前記第二者を前記依頼者と関連付けて記憶する記憶手段と、を備える仕事依頼支援システムである。
請求項２に記載の発明は、前記許可手段は、前記第二者が、前記第一者と過去に取引を行っている場合に許可する請求項１に記載の仕事依頼支援システムである。
請求項３に記載の発明は、前記許可手段は、前記第一者が前記第二者に仕事を依頼することを前記依頼者が把握した場合に許可する請求項２に記載の仕事依頼支援システムである。
請求項４に記載の発明は、前記許可手段は、前記依頼者が許可した場合に、前記第一者から前記第二者への仕事の依頼を許可する請求項１に記載の仕事依頼支援システムである。
請求項５に記載の発明は、前記許可手段は、前記依頼者が前記第一者と前記第二者との過去の取引を把握した上で許可した場合に、当該第二者への仕事の依頼を許可する請求項２に記載の仕事依頼支援システムである。
請求項６に記載の発明は、前記記憶手段は、前記依頼者が過去に取引を行った取引者を記憶し、前記受付手段は、前記記憶手段に記憶された前記取引者の中から選択された者への依頼を受け付ける請求項１から５のいずれか１項に記載の仕事依頼支援システムである。
請求項７に記載の発明は、前記記憶手段は、前記取引者に関連付けて当該取引者の評価を記憶し、前記受付手段は、前記依頼者に提示した、前記記憶手段に記憶された前記取引者の氏名及び評価の情報を含むリストの中から選択された者への依頼を受け付ける請求項６に記載の仕事依頼支援システムである。
請求項８に記載の発明は、依頼した仕事が完了した場合に、前記第一者に対して報酬を付与する付与手段をさらに備える請求項１から７のいずれか１項に記載の仕事依頼支援システムである。
請求項９に記載の発明は、前記付与手段は、前記依頼者が定めた報酬を付与する請求項８に記載の仕事依頼支援システムである。
請求項１０に記載の発明は、前記付与手段は、前記第一者に付与する報酬は前記依頼者が定めた報酬であり、前記第二者に付与する報酬は当該第一者が定めた報酬である請求項９に記載の仕事依頼支援システムである。
請求項１１に記載の発明は、コンピュータに、仕事を依頼する依頼者から、当該依頼者が過去に取引を行った第一者に対する仕事の依頼を受け付ける機能と、前記第一者が、当該第一者とは異なる第二者に仕事を依頼することを許可する機能と、許可した後に、前記第二者を前記依頼者と関連付けて記憶する機能と、を実行させるプログラムである。
請求項１２に記載の発明は、依頼した仕事が完了した場合に、前記第一者に対して報酬を付与する機能をさらに実行させる請求項１１に記載のプログラムである。
【発明の効果】
【０００６】
請求項１の発明によれば、仕事の依頼者が、信頼できる者に仕事を依頼することができる。
請求項２の発明によれば、信頼できる者に仕事を依頼することを許可することができる。
請求項３の発明によれば、依頼者が依頼した仕事の成果物の質をより高めることができる。
請求項４の発明によれば、依頼者が依頼した仕事の成果物の質をより高めることができる。
請求項５の発明によれば、依頼者に、第一者から第二者への仕事の依頼を許可するか否かの判断をし易くすることができる。
請求項６の発明によれば、依頼者に、信頼できる者に、仕事を依頼させることができる。
請求項７の発明によれば、依頼者は、より確度高く、信頼でき、かつ、依頼する価値が高い者に、仕事を依頼することができる。
請求項８の発明によれば、依頼者が仕事を依頼し易くなるとともに、仕事を依頼された者が仕事を引き受け易くなるようにすることができる。
請求項９の発明によれば、依頼者は、依頼した仕事を引き受けた者が行った仕事の成果物の質に応じて報酬を付与することができる。
請求項１０の発明によれば、依頼者は、第一者が行った仕事の成果物の質に応じて報酬を付与することができ、第一者は、第二者が行った仕事の成果物の質に応じて報酬を付与することができる。
請求項１１の発明によれば、仕事の依頼者が、信頼できる者に仕事を依頼することができる。
請求項１２の発明によれば、依頼者が仕事を依頼し易くなるとともに、仕事を依頼された者が仕事を引き受け易くなるようにすることができる。
【図面の簡単な説明】
【０００７】
【図１】実施形態に係る仕事依頼支援システムの概略構成を例示した図である。
【図２】ユーザ端末の概略構成を例示した図である。
【図３】サーバの機能構成を例示したブロック図である。
【図４】本システムを利用するユーザのユーザ端末に表示された管理画面の一例を示す図である。
【図５】ユーザ端末に表示された登録者画面の一例を示す図である。
【図６】ユーザ端末に表示された仕事依頼画面の一例を示す図である。
【図７】仕事を依頼されたユーザのユーザ端末に表示された応答画面を示す図である。
【図８】質問されたユーザのユーザ端末に表示された回答画面を示す図である。
【図９】回答を得たユーザのユーザ端末に表示された応答画面を示す図である。
【図１０】依頼者のユーザ端末に表示された引受画面を示す図である。
【図１１】引受者のユーザ端末に表示された納品画面を示す図である。
【図１２】依頼者のユーザ端末に表示された検収画面を示す図である。
【図１３】引受者のユーザ端末に表示された完了画面を示す図である。
【図１４】依頼者のユーザ端末に表示された報酬設定画面を示す図である。
【図１５】一次引受者のユーザ端末に表示された仕事依頼画面の一例を示す図である。
【図１６】一次引受者が依頼された仕事の一部を二次引受者に依頼したことを通知する通知画面の一例を示す図である。
【図１７】ユーザ端末に表示された管理画面の一例を示す図である。
【図１８】承認画面の一例を示す図である。
【発明を実施するための形態】
【０００８】
以下、添付図面を参照して、実施の形態について詳細に説明する。
＜第１の実施形態＞
図１は、本実施形態に係る仕事依頼支援システム１の概略構成を例示した図である。
仕事依頼支援システム１は、ユーザが所有するユーザ端末１０と、ユーザ間の仕事上の取引を、ネットワーク３０を介して補助するコミュニケーション・サービスを提供するサーバ２０とを備えている。ユーザ端末１０とサーバ２０とは、ネットワーク３０を介して互いに通信を行うことが可能となっている。ネットワーク３０は、各システム及び装置の間のデータ通信に用いられる通信ネットワークであれば特に限定されず、例えばＬＡＮ（Local Area Network）、ＷＡＮ（Wide Area Network）、インターネットであることを例示することができる。データ通信に用いられる通信回線は、有線か無線かを問わず、これらを併用しても良い。また、ゲートウェイ装置やルータ等の中継装置を用い、複数のネットワークや通信回線を介して各装置を接続するように構成しても良い。
【０００９】
＜ユーザ端末１０＞
図２は、ユーザ端末１０の概略構成を例示した図である。
ユーザ端末１０は、装置全体を制御する制御部１１と、データ等の記憶に用いられる記憶部１２と、操作受付画面や画像の表示に使用される表示部１３と、ユーザの入力操作を受け付ける操作部１４と、外部装置との通信に用いられる通信部１５とを備えている。
【００１０】
制御部１１は、ＣＰＵ（Central Processing Unit）１１ａ、ＲＯＭ（Read Only Memory）１１ｂ、ＲＡＭ（Random Access Memory）１１ｃにより構成される。ＲＯＭ１１ｂには、ＣＰＵ１１ａにより実行される基本プログラム（オペレーションシステム）や各種の設定等が記憶されている。ＣＰＵ１１ａは、ＲＡＭ１１ｃを作業エリアに使用し、ＲＯＭ１１ｂや記憶部１２から読み出したアプリケーションプログラムを実行する。ＣＰＵ１１ａがプログラムを実行することにより、ユーザ端末１０の各部が制御される。
【００１１】
記憶部１２は、半導体メモリなどの記憶装置であることを例示することができる。
表示部１３は、静止画像や動画像等を表示するディスプレイ装置である。表示部１３は、液晶ディスプレイや有機ＥＬ（Electro Luminescence）ディスプレイであることを例示することができる。
操作部１４は、ユーザからの操作を受け付ける入力装置である。操作部１４は、ボタン、スイッチ、タッチパネルであることを例示することができる。
通信部１５は、通信インターフェースであることを例示することができる。
【００１２】
以上のように構成されたユーザ端末１０は、多機能携帯電話（所謂「スマートフォン」）、携帯電話（所謂「フィーチャーフォン」）、携帯情報端末（ＰＤＡ）、タブレット端末、タブレットＰＣ、ノートＰＣ、デスクトップＰＣ等であることを例示することができる。
【００１３】
＜サーバ２０＞
図３は、サーバ２０の機能構成を例示したブロック図である。
サーバ２０は、ユーザ端末１０が備える、制御部１１、記憶部１２、表示部１３、操作部１４、通信部１５と同様に、制御部２１、記憶部２２、表示部（不図示）、操作部（不図示）、通信部（不図示）を備えている。記憶部２２は、ＨＤＤ（Hard Disk Drive）であっても良い。
【００１４】
サーバ２０は、記憶部２２に記憶されたユーザ間の仕事上の取引を、ネットワーク３０を介して補助するコミュニケーション・サービスを提供する。
記憶部２２は、ユーザに関する情報を記憶する。ユーザに関する情報は、ユーザの氏名、メールアドレス、電話番号であることを例示することができる。また、記憶部２２は、予め定められた関係性を有する場合には、一のユーザと他のユーザとを関連付けて記憶する。つまり、記憶部２２は、ユーザのつながりを記憶する。予め定められた関係性は、同じ組織に属している関係、同じコミュニティに属している関係であることを例示することができる。また、予め定められた関係性には、一のユーザと他のユーザとが過去に直接的又は間接的に仕事上の取引を行った関係性である場合も含まれる。例えば、記憶部２２は、一のユーザが依頼した仕事を引き受けた第三者からの仕事を他のユーザが引き受けた場合には、一のユーザと他のユーザとが間接的に仕事上の取引を行った関係性であるとして、一のユーザと他のユーザとを関連付けて記憶する。
【００１５】
制御部２１は、ＣＰＵ（不図示）、ＲＯＭ（不図示）、ＲＡＭ（不図示）等を有しており、ＣＰＵがプログラムを実行することにより、以下の機能を実現する。
すなわち、制御部２１は、ユーザ端末１０から送信されてきた情報を受信する受信部２１１を有している。
また、制御部２１は、受信部２１１が受信した情報を解析することにより、一のユーザから他のユーザへの仕事の依頼がなされていることを検知する依頼検知部２１２を有している。以下では、仕事を依頼したユーザを「依頼者」と称する場合がある。
【００１６】
また、制御部２１は、受信部２１１が受信した情報を解析することにより、依頼者から仕事を依頼されたユーザが、依頼者に質問をしていることや、質問を受けた依頼者が回答していることを検知する応答検知部２１３を有している。
また、制御部２１は、受信部２１１が受信した情報を解析することにより、依頼者から仕事を依頼されたユーザが、依頼された仕事を引き受けたことを検知する引受検知部２１４を有している。以下では、依頼された仕事を引き受けた者を「引受者」と称する場合がある。
【００１７】
また、制御部２１は、受信部２１１が受信した情報を解析することにより、引受者から納品がなされていることを検知する納品検知部２１５を有している。
また、制御部２１は、受信部２１１が受信した情報を解析することにより、依頼者が、引受者から納品された物を検収したことを検知する検収検知部２１６を有している。
また、制御部２１は、受信部２１１が受信した情報を解析することにより、依頼者が決定した報酬を把握するとともに、その報酬を引受者に付与する付与部２１７を有している。
【００１８】
また、制御部２１は、ユーザに対して各種情報を送信する送信部２１８を有している。例えば、送信部２１８は、依頼者から仕事の依頼を受けたユーザに対して、仕事の依頼が来ている旨の情報を送信する。また、送信部２１８は、依頼者に対して、仕事の依頼を受けたユーザが依頼した仕事を引き受けた旨の情報を送信する。また、送信部２１８は、依頼者に対して、引受者から納品がなされた旨の情報を送信する。また、送信部２１８は、引受者に対して、依頼者から検収がなされた旨の情報を送信する。また、送信部２１８は、引受者に対して、報酬が付与された旨の情報を送信する。
【００１９】
また、制御部２１は、引受者が、依頼者とは異なる他のユーザへ仕事を依頼することを許可する許可部２１９を有している。
また、制御部２１は、一のユーザと他のユーザとが予め定められた関係性を有することとなった場合に、一のユーザと他のユーザとを関連付けて記憶部２２に記憶する登録部２２０を有している。
【００２０】
以下に、各部の機能について詳細に説明する。
図４は、本システムを利用するユーザのユーザ端末１０Ａに表示された管理画面４０の一例を示す図である。
本システムを利用するユーザが、ユーザ端末１０にインストールされた専用のアプリケーションを起動した場合に、ユーザ端末１０の表示部１３に、図４に例示した管理画面４０が表示される。言い換えれば、ユーザ端末１０の制御部１１は、ユーザが管理画面４０を表示するための操作をした場合に、表示部１３に管理画面４０を表示させる。
管理画面４０には、サーバ２０の記憶部２２に、このユーザ端末１０を有するユーザと関連付けて記憶されている者（以下、「登録者」と称する場合がある。）が表示される。
図４に示した例では、ユーザＡのユーザ端末１０Ａの管理画面４０に、登録者として、ユーザＢ、ユーザＸ、ユーザＹ、ユーザＺが表示されている。
【００２１】
図５は、ユーザ端末１０Ａに表示された登録者画面５０の一例を示す図である。
登録者画面５０は、ユーザが、管理画面４０に表示された者を選択した場合に表示される。登録者画面５０には、選択された者の名前が表示される名前欄５１と、この者と取引を行い既に終了した案件、及び、取引中の案件が表示される案件表示欄５２とが表示される。また、登録者画面５０には、選択した者に対して、新たな仕事を依頼するための「新規依頼」と記載された新規依頼ボタン５３が表示される。
例えば、図５に示した例では、ユーザＡのユーザ端末１０Ａの登録者画面５０の名前欄５１にユーザＢが表示され、案件表示欄５２に、終了した案件として案件番号１１１、取引中の案件として案件番号１２０が表示されている。
【００２２】
図６は、ユーザ端末１０Ａに表示された仕事依頼画面６０の一例を示す図である。
仕事依頼画面６０は、ユーザが、登録者画面５０に表示された新規依頼ボタン５３を押した場合に表示される。言い換えれば、制御部１１は、登録者画面５０の新規依頼ボタン５３が押されたことを検知した場合に、表示部１３に仕事依頼画面６０を表示させる。
仕事依頼画面６０には、仕事を依頼する相手の名前が表示される名前欄６１と、仕事の内容を入力する入力欄６２と、入力欄６２に入力した仕事を依頼するための「依頼」と記載された依頼ボタン６３とが表示される。
例えば、図６に示した例では、ユーザＡのユーザ端末１０Ａの仕事依頼画面６０の名前欄６１にユーザＢが表示され、入力欄６２に依頼したい仕事の内容である「この前話したプロジェクトの企画書を作成してもらえますか？」が入力されている。
【００２３】
サーバ２０の制御部２１の受信部２１１は、ユーザが、仕事依頼画面６０に表示された依頼ボタン６３を押した場合に、依頼ボタン６３が押されたとの情報を受信する。そして、依頼検知部２１２は、受信部２１１が受信した情報を解析することにより、仕事の依頼がなされたことを検知する。例えば、図６に示した仕事依頼画面６０の依頼ボタン６３が押されたことを受信部２１１が受信した場合には、依頼検知部２１２は、ユーザＡからユーザＢに、入力欄６２に入力された仕事の依頼がなされたことを検知し、その内容を記憶部２２に記憶する。そして、送信部２１８は、ユーザＢに対して、ユーザＡから仕事の依頼が来ている旨の情報を送信する。
【００２４】
図７は、仕事を依頼されたユーザのユーザ端末１０Ｂに表示された応答画面７０を示す図である。
応答画面７０は、送信部２１８が送信した情報を受信した、仕事を依頼されたユーザが、ユーザ端末１０に対して予め定められた操作を行った場合に、ユーザ端末１０の表示部１３に表示される。予め定められた操作は、ユーザ端末１０にインストールされた本システム専用のアプリケーションのアイコンを押した後に表示される依頼者の名前を押したことであることを例示することができる。
応答画面７０には、仕事を依頼した者の名前が表示される名前欄７１が設けられている。名前欄７１には、制御部２１の依頼検知部２１２が付与した案件番号も表示される。また、応答画面７０には、名前欄７１に表示された者と、名前欄７１に表示された案件番号の仕事に関連して過去にやりとりしたメッセージの履歴が表示される履歴欄７２が設けられている。また、応答画面７０には、メッセージを入力する入力欄７３と、入力欄７３に入力した事項を質問するための「質問」と記載された質問ボタン７４とが表示される。また、応答画面７０には、依頼された仕事を引き受けるための「引受」と記載された引受ボタン７５と、依頼された仕事を引き受けないための「却下」と記載された却下ボタン７６とが表示される。
例えば、図７に示した例では、ユーザＢのユーザ端末１０Ｂの応答画面７０の名前欄７１にユーザＡ及び案件番号１２３が表示され、履歴欄７２にユーザＡが依頼した仕事の内容が表示されている。また、図７に示した例では、入力欄７３に、質問したい内容である「納期はいつですか？」が入力されている。
【００２５】
サーバ２０の制御部２１の受信部２１１は、ユーザが、応答画面７０に表示された質問ボタン７４を押した場合に、質問ボタン７４が押されたとの情報を受信する。そして、応答検知部２１３は、受信部２１１が受信した情報を解析することにより、質問がなされたことを検知する。例えば、図７に示した応答画面７０の質問ボタン７４が押されたことを受信部２１１が受信した場合には、応答検知部２１３は、ユーザＢからユーザＡに、入力欄７３に入力された質問がなされたことを検知し、その内容を記憶部２２に記憶する。そして、送信部２１８は、ユーザＡに対して、ユーザＢから質問が来ている旨の情報を送信する。
【００２６】
図８は、質問されたユーザのユーザ端末１０Ａに表示された回答画面８０を示す図である。
回答画面８０は、送信部２１８が送信した情報を受信した、質問されたユーザが、ユーザ端末１０に対して予め定められた操作を行った場合に、ユーザ端末１０の表示部１３に表示される。
回答画面８０には、質問した者の名前及び案件番号が表示される名前欄８１が設けられている。また、回答画面８０には、名前欄８１に表示された者と、案件番号の仕事に関連して過去にやりとりしたメッセージの履歴が表示される履歴欄８２が設けられている。また、回答画面８０には、メッセージを入力する入力欄８３と、入力欄８３に入力した事項を回答とするための「回答」と記載された回答ボタン８４とが表示される。
例えば、図８に示した例では、ユーザＡのユーザ端末１０Ａの回答画面８０の名前欄８１にユーザＢ及び案件番号１２３が表示され、履歴欄８２にユーザＢが質問した内容が表示されている。また、図８に示した例では、入力欄８３に、回答内容である「○月×日までです。」が入力されている。
【００２７】
サーバ２０の制御部２１の受信部２１１は、ユーザが、回答画面８０に表示された回答ボタン８４を押した場合に、回答ボタン８４が押されたとの情報を受信する。そして、応答検知部２１３は、受信部２１１が受信した情報を解析することにより、回答がなされたことを検知する。例えば、図８に示した回答画面８０の回答ボタン８４が押されたことを受信部２１１が受信した場合には、応答検知部２１３は、ユーザＡからユーザＢに、入力欄８３に入力された回答がなされたことを検知し、その内容を記憶部２２に記憶する。そして、送信部２１８は、ユーザＢに対して、ユーザＡから回答が来ている旨の情報を送信する。
【００２８】
図９は、回答を得たユーザのユーザ端末１０Ｂに表示された応答画面７０を示す図である。
応答画面７０の履歴欄７２には、上述したように、名前欄７１に表示された者と名前欄７１に表示された案件番号の仕事に関連して過去にやりとりしたメッセージの履歴が表示され、今回得た回答が最下部に表示される。
【００２９】
サーバ２０の制御部２１の受信部２１１は、ユーザが、応答画面７０に表示された引受ボタン７５を押した場合に、引受ボタン７５が押されたとの情報を受信する。そして、引受検知部２１４は、受信部２１１が受信した情報を解析することにより、依頼者が依頼した仕事が引き受けられたことを検知する。例えば、図９に示した応答画面７０の引受ボタン７５が押されたことを受信部２１１が受信した場合には、引受検知部２１４は、ユーザＢがユーザＡから依頼された案件番号１２３の仕事を引き受けたことを検知し、その内容を記憶部２２に記憶する。そして、送信部２１８は、ユーザＡに対して、ユーザＢが引き受けた旨の情報を送信する。
【００３０】
図１０は、依頼者のユーザ端末１０Ａに表示された引受画面９０を示す図である。
引受画面９０は、送信部２１８が送信した情報を受信した依頼者が、ユーザ端末１０に対して予め定められた操作を行った場合に、ユーザ端末１０の表示部１３に表示される。
引受画面９０には、引き受けた者の名前及び案件番号が表示される名前欄９１が設けられている。また、引受画面９０には、名前欄９１に表示された者と、名前欄９１に表示された案件番号の仕事に関連して過去にやりとりしたメッセージの履歴が表示される履歴欄９２が設けられており、履歴欄９２の最下部には、依頼した仕事が引き受けられた旨が表示される。
例えば、図１０に示した例では、依頼者であるユーザＡのユーザ端末１０Ａの引受画面９０の名前欄９１にユーザＢ及び案件番号１２３が表示され、履歴欄９２の最下部に、「案件番号１２３は引き受けられました。」と表示されている。
【００３１】
図１１は、引受者のユーザ端末１０Ｂに表示された納品画面１１０を示す図である。
納品画面１１０は、引受者が依頼者から依頼された仕事を引き受けた後（応答画面７０の引受ボタン７５が押された後）に、引受者が、依頼者との登録者画面５０における案件番号が表示された部分を押した場合に表示部１３に表示される。
納品画面１１０には、依頼者及び案件番号が表示される名前欄１１１が設けられている。また、納品画面１１０には、名前欄１１１に表示された者と、名前欄１１１に表示された案件番号の仕事に関連して過去にやりとりしたメッセージの履歴が表示される履歴欄１１２が設けられている。また、納品画面１１０には、メッセージを入力する入力欄１１３と、「納品」と記載された納品ボタン１１４とが表示される。
履歴欄１１２の最下部には、引受者が依頼者から依頼された仕事を引き受けたことを明示するため文言が表示される。
例えば、図１１に示した例では、ユーザＢのユーザ端末１０Ｂの納品画面１１０の名前欄１１１にユーザＡ及び案件番号１２３が表示され、履歴欄１１２にこれまでのメッセージの履歴と、「案件番号１２３を引き受けました。」との文言が表示されている。また、図１１に示した例では、入力欄１１３に、ユーザＢが納品する際に付与するメッセージである「納品します。データは、△△にあります。」が入力されている。
【００３２】
サーバ２０の制御部２１の受信部２１１は、ユーザが、納品画面１１０に表示された納品ボタン１１４を押した場合に、納品ボタン１１４が押されたとの情報を受信する。そして、納品検知部２１５は、受信部２１１が受信した情報を解析することにより、引受者が、依頼された仕事に対応する物が納品されたことを検知する。例えば、図１１に示した納品画面１１０の納品ボタン１１４が押されたことを受信部２１１が受信した場合には、納品検知部２１５は、ユーザＢがユーザＡから依頼された案件番号１２３の仕事に対応する物が納品されたことを検知し、その内容を記憶部２２に記憶する。そして、送信部２１８は、ユーザＡに対して、ユーザＢが納品した旨の情報を送信する。
【００３３】
図１２は、依頼者のユーザ端末１０Ａに表示された検収画面１２０を示す図である。
検収画面１２０は、依頼者が引受者から依頼された仕事に対応する物の納品を受けた後（納品画面１１０の納品ボタン１１４が押された後）に、依頼者が、引受者との登録者画面５０における案件番号が表示された部分を押した場合に表示部１３に表示される。
検収画面１２０は、引受者及び案件番号が表示される名前欄１２１が設けられている。また、検収画面１２０には、名前欄１２１に表示された者と、名前欄１２１に表示された案件番号の仕事に関連して過去にやりとりしたメッセージの履歴が表示される履歴欄１２２が設けられている。また、検収画面１２０には、メッセージを入力する入力欄１２３と、「検収」と記載された検収ボタン１２４とが表示される。履歴欄１２２の最下部には、引受者が依頼者から依頼された仕事に対応する物を納品したことを明示するため文言が表示される。
例えば、図１２に示した例では、ユーザＡのユーザ端末１０Ａの検収画面１２０の名前欄１２１にユーザＢ及び案件番号１２３が表示され、履歴欄１２２の最下部に、「案件番号１２３は納品されました。」と表示されている。また、図１２に示した例では、入力欄１２３に、ユーザＡが検収する際に付与するメッセージである「確認しました。ありがとうございました。」が入力されている。
【００３４】
サーバ２０の制御部２１の受信部２１１は、ユーザが、検収画面１２０に表示された検収ボタン１２４を押した場合に、検収ボタン１２４が押されたとの情報を受信する。そして、検収検知部２１６は、受信部２１１が受信した情報を解析することにより、引受者が納品した物が検収されたことを検知する。例えば、図１２に示した検収画面１２０の検収ボタン１２４が押されたことを受信部２１１が受信した場合には、検収検知部２１６は、ユーザＡがユーザＢから納品された案件番号１２３の仕事に対応する物が検収されたことを検知し、その内容を記憶部２２に記憶する。そして、送信部２１８は、ユーザＢに対して、ユーザＡが検収した旨の情報を送信する。
【００３５】
図１３は、引受者のユーザ端末１０Ｂに表示された完了画面１３０を示す図である。
完了画面１３０は、引受者が納品した物の検収を依頼者が終えた後（検収画面１２０の検収ボタン１２４が押された後）に、引受者が、依頼者との登録者画面５０における案件番号が表示された部分を押した場合に表示部１３に表示される。
完了画面１３０には、依頼者及び案件番号が表示される名前欄１３１が設けられている。また、完了画面１３０には、依頼者と、名前欄１３１に表示された案件番号の仕事に関連して過去にやりとりしたメッセージの履歴が表示される履歴欄１３２が設けられており、履歴欄１３２の最下部には、検収された旨が表示される。
例えば、図１３に示した例では、ユーザＢのユーザ端末１０Ｂの完了画面１３０の名前欄１３１にユーザＡ及び案件番号１２３が表示され、履歴欄１３２の最下部に、「案件番号１２３は検収されました。」と表示されている。
【００３６】
図１４は、依頼者のユーザ端末１０Ａに表示された報酬設定画面１４０を示す図である。
報酬設定画面１４０は、納品された物の検収を依頼者が終えた後（検収画面１２０の検収ボタン１２４が押された後）に、依頼者が、引受者との登録者画面５０における案件番号が表示された部分を押した場合に表示部１３に表示される。
報酬設定画面１４０には、引受者及び案件番号が表示される名前欄１４１が設けられている。また、報酬設定画面１４０には、引受者と、名前欄１４１に表示された案件番号の仕事に関連して過去にやりとりしたメッセージの履歴が表示される履歴欄１４２が設けられており、履歴欄１４２の最下部には、検収した旨が表示される。また、報酬設定画面１４０には、報酬を入力する入力欄１４３と、「決定」と記載された決定ボタン１４４とが表示される。
例えば、図１４に示した例では、依頼者であるユーザＡのユーザ端末１０Ａの報酬設定画面１４０の名前欄１４１にユーザＢ及び案件番号１２３が表示され、履歴欄１４２の最下部に、「案件番号１２３を検収しました。」と表示されている。また、図１４に示した例では、入力欄１４３に、引受者に対して与える報酬である「１０万円」が入力されている。
【００３７】
サーバ２０の制御部２１の受信部２１１は、ユーザが、報酬設定画面１４０に表示された決定ボタン１４４を押した場合に、決定ボタン１４４が押されたとの情報を受信する。そして、付与部２１７は、受信部２１１が受信した情報を解析することにより、一次引受者に対する報酬が決定されたことを検知する。例えば、図１４に示した報酬設定画面１４０の決定ボタン１４４が押されたことを受信部２１１が受信した場合には、付与部２１７は、ユーザＡがユーザＢに対して入力欄１４３に入力された報酬を付与すると決定したことを検知し、その内容を記憶部２２に記憶する。そして、付与部２１７は、予め登録された方法で、ユーザＢに対して入力欄１４３に入力された報酬を付与する。付与する方法としては、ユーザが登録した銀行口座にお金を振り込むことであることを例示することができる。
なお、付与部２１７が報酬を付与することで、この案件の取引が終了し、登録者画面５０の案件表示欄５２に、終了した案件として表示される。
【００３８】
次に許可部２１９について説明する。
サーバ２０の許可部２１９は、依頼者から仕事を依頼された引受者である一次引受者が、依頼者から依頼された仕事の一部を、他の者へ依頼することを許可するか否かを判断する。
【００３９】
一次引受者は、図６に示した仕事依頼画面６０を介して、他の者に仕事の依頼を希望することが可能である。
つまり、一次引受者が、ユーザ端末１０に表示された管理画面４０を介して選択した者に対応する登録者画面５０において、新規依頼ボタン５３を押すことで仕事の依頼を希望することができる。言い換えれば、一次引受者が、管理画面４０に表示された者（登録者）の中から選択された者に対する、仕事の依頼を希望することをサーバ２０に対して意思表示することができる。
【００４０】
図１５は、一次引受者のユーザ端末１０Ｂに表示された仕事依頼画面６０の一例を示す図である。
例えば、図１５に示した例では、一次引受者であるユーザＢのユーザ端末１０Ｂの仕事依頼画面６０の名前欄６１にユーザＣが表示され、入力欄６２に依頼したい仕事の内容である「企画書の中の図面を作成してもらえますか？」が入力されている。そして、図１５に示した仕事依頼画面６０の依頼ボタン６３が押されたことをサーバ２０の受信部２１１が受信した場合に、依頼検知部２１２は、一次引受者であるユーザＢからユーザＣに、入力欄６２に入力された仕事の依頼が希望されたことを検知する。
【００４１】
第１の実施形態に係る許可部２１９は、一次引受者から仕事の依頼を希望された者（以下、「希望者」と称する場合がある。）が、一次引受者が過去に取引を行った者である場合に許可する。つまり、許可部２１９は、一次引受者が希望者にかつて仕事を依頼し、納品、検収が完了していることが、記憶部２２に記憶されている場合に許可する。
【００４２】
サーバ２０の送信部２１８は、許可部２１９が許可した場合には、希望者に対して、一次引受者から仕事の依頼が来た旨を通知するとともに、一次引受者に対して、仕事の依頼が許可された旨を通知する。他方、送信部２１８は、許可部２１９が許可しない場合には、一次引受者に、希望者への依頼を許可しない旨を通知する。
例えば、図１５に示した例では、ユーザＢが仕事依頼画面６０の依頼ボタン６３を押し、許可部２１９が、ユーザＢからユーザＣへの仕事の依頼を許可した場合には、送信部２１８は、ユーザＣに対して、ユーザＢから仕事の依頼が来た旨を通知する。また、送信部２１８は、ユーザＢに対して、ユーザＣへの仕事の依頼が許可された旨を通知する。他方、許可部２１９が、ユーザＢからユーザＣへの仕事の依頼を許可しない場合には、ユーザＢに対して、ユーザＣへの仕事の依頼が許可されなかった旨を通知する。
【００４３】
一次引受者から仕事を依頼された者は、図７に例示した応答画面７０を介して、依頼内容について質問することが可能である。
また、一次引受者は、図８に例示した回答画面８０を介して、質問された内容に対して回答することが可能である。
また、一次引受者から仕事を依頼された者は、図７に例示した応答画面７０を介して、依頼された仕事を引き受けることが可能である。
以下では、一次引受者から依頼された仕事を引き受けた者を「二次引受者」と称する場合がある。かかる場合、二次引受者にとっての依頼者は一次引受者である。
【００４４】
二次引受者は、図１１に例示した納品画面１１０を介して、依頼された仕事に対応する物を納品することが可能である。
一次引受者は、図１２に例示した検収画面１２０を介して、納品された物を検収することが可能である。
一次引受者は、図１４に例示した報酬設定画面１４０を介して、二次引受者への報酬を決定することが可能である。
そして、サーバ２０の制御部２１の付与部２１７は、二次引受者に対して、予め登録された方法で、一次引受者が決定した報酬を付与する。
【００４５】
一次引受者が、依頼者から依頼された仕事の一部を二次引受者に依頼した場合、一次引受者が納品した物は、一次引受者と二次引受者とが共同で完成された物である。サーバ２０の送信部２１８は、一次引受者が、依頼された仕事の一部を二次引受者に依頼し、一次引受者が納品した物は、一次引受者と二次引受者とが共同で完成させた物である旨の情報を依頼者に送信する。また、送信部２１８は、一次引受者が二次引受者に依頼した仕事の具体的な内容についての情報を依頼者に送信する。例えば、上述した例では、送信部２１８は、ユーザＡがユーザＢに依頼した企画書の中の図面を、ユーザＢがユーザＣに依頼した旨の情報をユーザＡに通知する。
【００４６】
図１６は、一次引受者が依頼された仕事の一部を二次引受者に依頼したことを通知する通知画面１６０の一例を示す図である。
サーバ２０の制御部２１の送信部２１８が、一次引受者が依頼された仕事の一部を二次引受者に依頼した旨の情報を通知する時期は、特に限定されない。例えば、依頼者が図１２に示した検収画面１２０の検収ボタン１２４を押した後であることを例示することができる。
通知画面１６０は、送信部２１８により依頼者に通知された後、依頼者が、一次引受者との登録者画面５０における案件番号が表示された部分を押した場合に表示部１３に表示される。
通知画面１６０には、一次引受者及び案件番号が表示される名前欄１６１が設けられている。また、通知画面１６０には、一次引受者と、名前欄１６１に表示された案件番号の仕事に関連して過去にやりとりしたメッセージの履歴が表示される履歴欄１６２が設けられている。そして、履歴欄１６２の最下部に、二次引受者が関わった仕事の内容が表示される。
例えば、図１６に示した例では、ユーザＡのユーザ端末１０Ａの通知画面１６０の名前欄１６１にユーザＢ及び案件番号１２３が表示され、履歴欄１６２の最下部に、「ユーザＣが企画書の中の図面を作成しました。」と表示されている。なお、履歴欄１６２の最下部に表示される文言は特に限定されない。二次引受者（ユーザＣ）が、一次引受者（ユーザＢ）が納品し、依頼者（ユーザＡ）が検収した物に対してどのように関わったのかを、依頼者（ユーザＡ）が把握できるのであればいかなる表現であっても良い。
【００４７】
図１７は、ユーザ端末１０Ａに表示された管理画面４０の一例を示す図である。
送信部２１８が、一次引受者が依頼された仕事の一部を二次引受者に依頼した旨の情報を、依頼者が図１２に示した検収ボタン１２４を押した後に通知した場合には、サーバ２０の登録部２２０は、依頼者と関連付けて二次引受者を記憶部２２に記憶する。これにより、依頼者と二次引受者とが新たにつながる。
その結果、依頼者のユーザ端末１０に表示される管理画面４０に、二次引受者が新たに表示されることとなる。そして、依頼者は、今回の取引で二次引受者であった者に対して、次回以降の取引において仕事を依頼することが可能となる。
例えば、図１７に示した管理画面４０には、図４に示した管理画面４０とは異なり、登録者として、ユーザＣが表示されている。
【００４８】
なお、送信部２１８が、一次引受者が依頼された仕事の一部を二次引受者に依頼した旨の情報を通知する時期は、一次引受者が、依頼された仕事に対応する物を納品する前であっても良い。例えば、許可部２１９が、一次引受者から二次引受者への仕事の依頼を許可した後であっても良い。
送信部２１８が納品する前に通知する場合であっても、登録部２２０は、依頼者が図１２に示した検収画面１２０の検収ボタン１２４を押した後に、依頼者と関連付けて二次引受者を記憶部２２に記憶しても良い。これにより、依頼者が、二次引受者が担当した仕事の成果物の質を確認した後に、依頼者と二次引受者とが新たにつながることとなる。
また、許可部２１９が一次引受者から二次引受者への仕事の依頼を許可した直後に送信部２１８が依頼者に通知する場合には、登録部２２０は、許可部２１９が一次引受者から二次引受者への仕事の依頼を許可した直後や、送信部２１８が依頼者に通知した直後に依頼者と関連付けて二次引受者を記憶部２２に記憶しても良い。これにより、依頼者が、二次引受者と早期につながることとなる。依頼者は、二次引受者が担当した仕事の成果物の質を確認する前であっても、一次引受者が仕事の依頼を希望した者であることをもって、信頼できる者であるとして仕事を依頼することが可能となる。
【００４９】
以上、説明したように、仕事依頼支援システム１は、仕事を依頼する依頼者から、依頼者が過去に取引を行った第一者の一例としての登録者に対する仕事の依頼を受け付ける受付手段の一例としての受信部２１１を備えている。また、サーバ２０は、第一者が、第一者とは異なる第二者の一例としての希望者に仕事を依頼することを許可する許可手段の一例としての許可部２１９と、許可部２１９が許可した後に、第二者を前記依頼者と関連付けて記憶する記憶手段の一例としての記憶部２２と、を備えている。
【００５０】
許可部２１９が許可した後に、記憶部２２が第二者（希望者、二次引受者）を依頼者と関連付けて記憶するので、第二者が新たに登録者となる。そして、第二者は、第一者が仕事を依頼することを希望した者であり、かつ、許可部２１９が許可した者である。ゆえに、依頼者は、信頼できる第二者と新たにつながることとなる。その結果、依頼者は、直接、この第二者に仕事を依頼することが可能となる。
【００５１】
なお、第一者は、依頼者が過去に取引を行った者であるが、この仕事依頼支援システム１を介して取引を行った者に限定されない。例えば、依頼者が属する組織やコミュニティの中で、この仕事依頼支援システム１を介さずに取引を行った者も含まれる。また、第一者は、依頼者が過去に取引を行った者であるが、直接的に取引を行った者に限定されない。例えば、上述したユーザＡとユーザＣとの関係のように、ユーザＢを介して間接的に取引を行った者であっても良い。
また、第一者が、当該第一者とは異なる第二者に依頼する仕事は、依頼者から依頼された仕事の全て（例えば、企画書の作成）であっても良いし、依頼者から依頼された仕事の一部（例えば、企画書の中の図面の作成）であっても良い。
【００５２】
ここで、許可部２１９は、第二者が、第一者と過去に取引を行っている場合に許可すると良い。過去に取引を行っている者に対して仕事を依頼することを希望するということは、第二者は、信頼できる者であると考えられるからである。
【００５３】
また、許可部２１９は、第一者が第二者に仕事を依頼することを依頼者が把握した場合に許可しても良い。例えば、上述した仕事依頼支援システム１において、一次引受者であるユーザＢからユーザＣに仕事の依頼が希望されたことをサーバ２０の依頼検知部２１２が検知した後、送信部２１８が依頼者に対して、ユーザＢからユーザＣに仕事の依頼が希望されたことを通知する。そして、依頼者が、その通知を見た場合、例えば、送信部２１８が送った、ユーザＢからユーザＣに仕事の依頼が希望されたことのメッセージを依頼者が見たとの情報を受信部２１１が受信した場合に、許可部２１９は依頼者が把握したとして許可しても良い。これにより、第一者が仕事を依頼する者を選択する際に、より慎重に選択させることが可能となる。これにより、依頼者が依頼した仕事の成果物の質が高まる。
【００５４】
また、記憶部２２は、依頼者が過去に取引を行った取引者の一例としての登録者を記憶し、受信部２１１は、記憶部２２に記憶された登録者の中から選択された者への依頼を受け付ける。これにより、依頼者に、信頼できる者に、仕事を依頼させることが可能となる。
【００５５】
また、記憶部２２は、登録者に関連付けて当該登録者の評価を記憶し、受信部２１１は、依頼者に提示した、記憶部２２に記憶された登録者の氏名及び評価の情報を含むリストの中から選択された者への依頼を受け付けても良い。これにより、依頼者は、より確度高く、信頼でき、かつ、依頼する価値が高い者に、仕事を依頼することが可能となる。なお、登録者の評価は、登録者以外の者による評価であると良い。例えば、過去に登録者に対して仕事を依頼した者が、当該登録者が行った仕事の成果物の質を基に行った評価であることを例示することができる。上述した例では、ユーザＣに対する評価を、ユーザＣが作成した図面の出来具合を考慮して、ユーザＢが行うことを例示することができる。サーバ２０は、例えば、登録者画面５０を介して登録者の評価を行えるようにすると良い。
【００５６】
また、仕事依頼支援システム１は、依頼した仕事が完了した場合に、第一者の一例としての一次引受者に対して報酬を付与する付与手段の一例としての付与部２１７をさらに備える。これにより、依頼者は仕事を依頼し易くなる。また、仕事を依頼された者は、仕事を引き受け易くなる。その結果、この仕事依頼支援システム１を介して、多くの者が他の者とつながりたくなる。
付与部２１７は、依頼者が定めた報酬を付与すると良い。これにより、依頼者は、依頼した仕事を引き受けた者が行った仕事の成果物の質に応じて報酬を付与することが可能となる。
また、付与部２１７は、第一者の一例としての一次引受者に付与する報酬は依頼者が定めた報酬であり、第二者の一例としての二次引受者に付与する報酬は一次引受者が定めた報酬であると良い。これにより、依頼者は、一次引受者が行った仕事の成果物の質に応じて報酬を付与することが可能となり、一次引受者は、二次引受者が行った仕事の成果物の質に応じて報酬を付与することが可能となる。
【００５７】
なお、上述した実施形態においては、図１４に示したように、依頼者が報酬設定画面１４０の入力欄１４３に、一次引受者に対して与える報酬として「１０万円」と入力しているが、特にかかる態様に限定されない。報酬設定画面１４０の入力欄１４３に入力するのは、例えば依頼時等に予め蓄えられた金額に対する割合であっても良い。例えば、依頼者は、依頼時等に、依頼する仕事の報酬としてお金を蓄えるとともに、その金額を開示し、報酬設定画面１４０の入力欄１４３にその金額に対する割合を入力しても良い。例えば、依頼者は、１０万円を蓄えるとともに、依頼する仕事の報酬として１０万円を蓄えていることを開示し、報酬設定画面１４０の入力欄１４３に１０割と入力することで、１０万円の全てが一次引受者に付与されるようにしても良い。
【００５８】
また、上述した実施形態においては、二次引受者に対して与える報酬を、一次引受者が決定しているが特にかかる態様に限定されない。依頼者が二次引受者に対して与える報酬を決定しても良い。例えば、依頼者は、一次引受者、二次引受者に対して与える報酬を、それぞれ８万円、２万円と決定しても良い。また、依頼者は、予め蓄えられたお金（例えば１０万円）に対する、一次引受者、二次引受者に与える報酬の割合を、それぞれ８割、２割と決定しても良い。
【００５９】
また、依頼者が引受者に対して与える報酬は、お金でなくても良い。サーバ２０の付与部２１７は、金銭的価値を有するポイントや仮想通貨を付与することであっても良い。ポイントは、加盟している店舗の提携先で減額を受けることが可能な、Ｔポイント、楽天ポイント、Ｐｏｎｔａポイント、ｄポイントなどであることを例示することができる。
また、ユーザ端末１０に表示された各種画面に設けられる、名前欄、履歴欄、入力欄、各種ボタンの配置位置は特に限定されない。
【００６０】
また、上述した実施形態においては、一次引受者、二次引受者は、それぞれ一人であるが、複数の者であっても良い。つまり、依頼者は、案件が同じであっても、複数の者に仕事を依頼しても良いし、一次引受者は、複数の者に仕事を依頼しても良い。また、例えば、複数の二次引受者の内の一の二次引受者には図面作成を、他の二次引受者には企画書の校閲をと、それぞれ異なる仕事を依頼しても良い。
【００６１】
以上説明したユーザ端末１０の制御部１１，サーバ２０の制御部２１が行なう処理は、ソフトウェアとハードウェア資源とが協働することにより実現することができる。この場合、制御部１１，制御部２１のＣＰＵが、制御部１１，制御部２１の各機能を実現するプログラムを実行し、これらの各機能を実現させる。例えば、プログラムを記録した非一時的なコンピュータ読取可能な記録媒体を制御部１１，制御部２１に提供し、ＣＰＵが記録媒体に格納されたプログラムを読み出す。この場合、記録媒体から読み出されたプログラム自体が上述した実施形態の機能を実現することになり、そのプログラム自体、及びそれを記録した記録媒体は本発明を構成することになる。このようなプログラムを供給するための記録媒体としては、例えば、フレキシブルディスク、ＣＤ−ＲＯＭ、ＤＶＤ−ＲＯＭ、ハードディスク、光ディスク、光磁気ディスク、ＣＤ−Ｒ、磁気テープ、不揮発性のメモリカード、ＲＯＭを例示することができる。また、ネットワーク３０を介して、ユーザ端末１０やサーバ２０にダウンロードさせてもよい。
【００６２】
そして、本発明を構成するプログラムは、コンピュータに、仕事を依頼する依頼者から、依頼者が過去に取引を行った第一者の一例としての登録者に対する仕事の依頼を受け付ける機能と、第一者が、第一者とは異なる第二者の一例としての希望者に仕事を依頼することを許可する機能と、許可した後に、第二者を依頼者と関連付けて記憶する機能と、を実行させるプログラムである。
また、本発明を構成するプログラムは、コンピュータに、依頼した仕事が完了した場合に、第一者の一例としての一次引受者に対して対価報酬を付与する機能を、さらに実行させると良い。
【００６３】
＜第２の実施形態＞
第２の実施形態に係るサーバ２０は、第１の実施形態に係るサーバ２０に対して、許可部２１９が異なる。以下、第１の実施形態に係るサーバ２０と異なる点について説明する。第１の実施形態と第２の実施形態とで、同じ機能を有する物については同じ符号を付し、その詳細な説明は省略する。
【００６４】
第２の実施形態に係る許可部２１９は、依頼者から依頼された仕事の一部を、一次引受者が他の者へ依頼することを、依頼者が承認した場合に許可する。
サーバ２０の依頼検知部２１２が、一次引受者が他の者に、仕事依頼画面６０の入力欄６２に入力された仕事の依頼を希望していることを検知した場合、サーバ２０の送信部２１８は、依頼者に対して、一次引受者が他の者に依頼している旨を通知する。
【００６５】
図１８は、承認画面１８０の一例を示す図である。
承認画面１８０は、依頼者が、一次引受者との登録者画面５０における案件番号が表示された部分を押した場合に表示部１３に表示される。
承認画面１８０には、一次引受者及び案件番号が表示される名前欄１８１が設けられている。また、承認画面１８０には、一次引受者と、名前欄１８１に表示された案件番号の仕事に関連して過去にやりとりしたメッセージの履歴が表示される履歴欄１８２が設けられている。また、承認画面１８０には、「承認」と記載された承認ボタン１８３と、「却下」と記載された却下ボタン１８４とが表示される。
そして、承認画面１８０の履歴欄１８２には、一次引受者と希望者との過去の取引の際にやりとりしたメッセージの履歴が表示される。
例えば、図１８に示した例では、ユーザＡのユーザ端末１０Ａの承認画面１８０の名前欄１８１にユーザＢ及び案件番号１２３が表示され、履歴欄１８２の最下部に、ユーザＢとユーザＣとが過去に行った取引である案件番号１１９のメッセージの履歴が表示されている。
【００６６】
サーバ２０の制御部２１の受信部２１１は、ユーザが、承認画面１８０に表示された承認ボタン１８３を押した場合に、承認ボタン１８３が押されたとの情報を受信する。すると、第２の実施形態に係る許可部２１９は、一次引受者が依頼者から依頼された仕事の一部を、一次引受者が希望者へ依頼することを許可する。
送信部２１８は、許可部２１９が許可した場合には、一次引受者から仕事の依頼を希望された者（希望者）に対して、一次引受者から仕事の依頼が来た旨を通知するとともに、一次引受者に対して、希望者への仕事の依頼が許可された旨を通知する。
他方、ユーザが、承認画面１８０に表示された却下ボタン１８４を押した場合に、受信部２１１は、却下ボタン１８４が押されたとの情報を受信する。すると、第２の実施形態に係る許可部２１９は、一次引受者が依頼者から依頼された仕事の一部を、一次引受者が希望者へ依頼することを許可しない。そして、送信部２１８は、許可部２１９が許可しない場合には、一次引受者に、希望者への依頼を許可しない旨を通知する。
【００６７】
例えば、図１８に示した例では、ユーザＡが承認画面１８０の承認ボタン１８３を押した場合には、許可部２１９は、ユーザＢからユーザＣへの仕事の依頼を許可し、送信部２１８は、ユーザＣに対して、ユーザＢから仕事の依頼が来た旨を通知するとともに、ユーザＢに対して、ユーザＣへの仕事の依頼が許可された旨を通知する。他方、ユーザＡが承認画面１８０の却下ボタン１８４を押した場合には、許可部２１９は、ユーザＢからユーザＣへの仕事の依頼を許可せず、送信部２１８は、ユーザＢに対して、ユーザＣへの仕事の依頼が許可されない旨を通知する。
【００６８】
以上、説明したように、第２の実施形態に係る許可部２１９は、依頼者が許可（承認）した場合に、第一者の一例としての一次引受者から第二者の一例としての希望者への仕事の依頼を許可する。これにより、依頼者は、一次引受者が勝手に他の者に仕事を依頼することに起因して、仕事の成果物の質が低下することが抑制される。また、第一者が仕事を依頼する者を選択する際に、より慎重に選択させることが可能となる。これにより、依頼者が依頼した仕事の成果物の質が高まる。
また、第２の実施形態に係る許可部２１９は、依頼者が第一者の一例としての一次引受者と第二者の一例としての希望者との過去の取引を把握した上で許可した場合に、第二者への仕事の依頼を許可すると良い。これにより、依頼者は、第一者から第二者への仕事の依頼を許可するか否かを判断し易くなる。
【符号の説明】
【００６９】
１…仕事依頼支援システム、１０，１０Ａ，１０Ｂ…ユーザ端末、２０…サーバ、２１…制御部、２２…記憶部、２１１…受信部、２１２…依頼検知部、２１３…応答検知部、２１４…引受検知部、２１５…納品検知部、２１６…検収検知部、２１７…付与部、２１８…送信部、２１９…許可部、２２０…登録部
【図１】
2020030487.tif 000003
【図２】
2020030487.tif 000004
【図３】
2020030487.tif 000005
【図４】
2020030487.tif 000006
【図５】
2020030487.tif 000007
【図６】
2020030487.tif 000008
【図７】
2020030487.tif 000009
【図８】
2020030487.tif 000010
【図９】
2020030487.tif 000011
【図１０】
2020030487.tif 000012
【図１１】
2020030487.tif 000013
【図１２】
2020030487.tif 000014
【図１３】
2020030487.tif 000015
【図１４】
2020030487.tif 000016
【図１５】
2020030487.tif 000017
【図１６】
2020030487.tif 000018
【図１７】
2020030487.tif 000019
【図１８】
2020030487.tif 000020